(57)【要約】【課題】より実用性に優れた横ヒダ型衛生マスクを提供する。【解決手段】覆い部１０のヒダ形成部２４には、４つの横ヒダ２８から成る車ヒダ２６が形成され、両側端部はそれぞれ接合線６０において溶着により接合され、横ヒダ２８の延びが阻止されている。接合線６０は上接合線部６２，中間接合線部６４，下接合線部６６に分けられるとともに、中間接合線部６４の上端および下端が、上接合線部６２の下端および下接合線部６６の上端に対して覆い部１０の左右方向の中央側にずらされ(上下方向にもずらされてもよい)、切れ目８０，８２が設けられている。そのためマスクの装着時に、覆い部１０の側端縁の切れ目８０，８２に対応する２箇所はそれら以外の部分に比較して屈曲し易く、覆い部１０の側端縁が２箇所で左右方向の中央側へ凸に屈曲して肌との間の隙間が低減される。中間接合部は、上接合線部および下接合線部に対して覆い部の外側にずらされてもよい。【選択図】図１
2015100570.tif 000002
【特許請求の範囲】
【請求項１】
口と鼻とを覆う覆い部と、両耳に掛けられる２つの耳掛部とを含み、覆い部が、横方向に延びる３つ以上の横ヒダが形成されたヒダ形成部を備えた横ヒダ型衛生マスクであって、
前記覆い部の両側端部の各々において上下方向に延び、前記３つ以上の横ヒダの側壁同士を互いに接合して各横ヒダが延びることを阻止する接合線の、前記覆い部の上部，中間部および下部の３つの部分の境界にそれぞれ対応する２箇所に切れ目が設けられることにより、当該衛生マスクの装着状態において、前記覆い部の両側端縁の各々の、前記２箇所の切れ目にそれぞれ対応する２箇所が、それら以外の部分に比較して左右方向の中央側へ凸に屈曲し易くされたことを特徴とする横ヒダ型衛生マスク。
【請求項２】
前記接合線が、前記覆い部の前記上部，中間部および下部の３つの部分にそれぞれ対応する上接合線部，中間接合線部および下接合線部の３つの部分に分けられるとともに、中間接合線部の上端および下端が、上接合線部の下端および下接合線部の上端に対して前記覆い部の左右方向にずらされることにより、前記切れ目が形成された請求項１に記載の横ヒダ型衛生マスク。
【請求項３】
前記中間接合線部の上端および下端が、上接合線部の下端および下接合線部の上端に対して前記覆い部の中央側へずらされた請求項２に記載の横ヒダ型衛生マスク。
【請求項４】
前記中間接合線部が前記覆い部の上下方向に直線的に延びる線であり、前記上接合線部が上端から下方に向かうにつれて前記覆い部の側端部側へ向かう向きに傾斜した傾斜部を含み、前記下接合線部が下端から上方に向かうにつれて前記覆い部の側端部側へ向かう向きに傾斜した傾斜部を含む請求項３に記載の横ヒダ型衛生マスク。
【請求項５】
前記中間接合線部の上端および下端が、上接合線部の下端および下接合線部の上端に対して前記覆い部の各側端側へずらされた請求項２に記載の横ヒダ型衛生マスク。
【請求項６】
前記３つ以上の横ヒダが、前記覆い部の表側から見て下向きに凸の状態で互いに隣接する４つの横ヒダから成る車ヒダであり、前記中間接合線部が、それら４つの横ヒダのうち、上下方向の中間に位置する２つの横ヒダの側壁同士を接合し、前記上接合線部が前記４つの横ヒダの最上のものの側壁同士を接合し、前記下接合線部が前記４つの横ヒダの最下のものの側壁同士を接合する請求項２ないし５のいずれかに記載の横ヒダ型衛生マスク。
【請求項７】
前記３つ以上の横ヒダが、前記覆い部の表側から見て上向きに凸の状態で互いに隣接する４つの横ヒダから成る車ヒダであり、前記中間接合線部が、それら４つの横ヒダのうち、上下方向の中間に位置する２つの横ヒダの側壁同士を接合し、前記上接合線部が前記４つの横ヒダの最上のものの側壁同士を接合し、前記下接合線部が前記４つの横ヒダの最下のものの側壁同士を接合する請求項２ないし５のいずれかに記載の横ヒダ型衛生マスク。
【請求項８】
前記３つ以上の横ヒダが、前記覆い部の表側から見てその覆い部の上下方向の中間に位置する１つの箱ヒダと、その箱ヒダの上方に位置する１つ以上の横ヒダから成る上方車ヒダと、前記箱ヒダの下方に位置する１つ以上の横ヒダから成る下方車ヒダとであり、前記中間接合線部が、前記箱ヒダの２箇所の側壁同士を接合し、前記上接合線部が前記上方車ヒダの側壁同士を接合し、前記下接合線部が前記下方車ヒダの側壁同士を接合する請求項２ないし５のいずれかに記載の横ヒダ型衛生マスク。
【請求項９】
前記覆い部が、横方向に延びる１つ以上の横ヒダがそれぞれ形成された３つのヒダ形成部と、それら３つのヒダ形成部の間にそれぞれ形成された２つのヒダ無し部とを備え、前記３つのヒダ形成部の各々に対応して上接合線部，中間接合線部および下接合線部が形成され、上接合線部の下端と中間接合線部の上端、および中間接合線部の下端と下接合線部の上端が、それぞれ上下方向に離れさせられることにより、前記２箇所の切れ目が形成された請求項１に記載の横ヒダ型衛生マスク。
【発明の詳細な説明】
【技術分野】
【０００１】
本発明は、花粉，ほこり等の吸引防止、風邪の感染防止等の目的で使用される横ヒダ型の衛生マスクに関するものである。
【背景技術】
【０００２】
衛生マスクには、例えば、下記の特許文献１に記載されているように、口と鼻とを覆う覆い部と、両耳に掛けられる２つの耳掛部とを含み、覆い部が横方向に延びる３つ以上の横ヒダが形成されたヒダ形成部を含むものがある。特許文献１に記載の衛生マスクにおいて横ヒダの側壁同士は、覆い部の両側端部にそれぞれ１本ずつ形成された接合線により接合され、延びることが阻止されている。接合線は、上下方向に延びるとともに、覆い部の上下方向の中間部において左右方向の中央に向かって曲げ込まれた曲込部を有する。そのため、マスクの装着状態では、覆い部の側端部が曲込部において屈曲し、顔の肌から浮き上がることが良好に防止される。
【先行技術文献】
【特許文献】
【０００３】
【特許文献１】特開２０１２−１０５８７２号公報
【発明の概要】
【発明が解決しようとする課題】
【０００４】
本発明は、以上の事情を背景として為されたものであり、より実用性に優れた横ヒダ型衛生マスクの提供を課題とする。
【課題を解決するための手段】
【０００５】
上記の課題を解決するために、本発明に係る横ヒダ型衛生マスクは、口と鼻とを覆う覆い部と、両耳に掛けられる２つの耳掛部とを含み、覆い部が、横方向に延びる３つ以上の横ヒダが形成されたヒダ形成部を備えた横ヒダ型衛生マスクであって、前記覆い部の両側端部の各々において上下方向に延び、前記３つ以上の横ヒダの側壁同士を互いに接合して各横ヒダが延びることを阻止する接合線の、前記覆い部の上部，中間部および下部の３つの部分の境界にそれぞれ対応する２箇所に切れ目が設けられることにより、当該衛生マスクの装着状態において、前記覆い部の両側端縁の各々の、前記２箇所の切れ目にそれぞれ対応する２箇所が、それら以外の部分に比較して左右方向の中央側へ凸に屈曲し易くされたことを特徴とする。
【発明の効果】
【０００６】
覆い部の両側端部の各接合線の切れ目に対応する部分は自由度が高く、屈曲し易い。そのため、マスク装着状態では覆い部の両側端部が切れ目に対応する部分において屈曲し、覆い部の両側端縁の２箇所の切れ目にそれぞれ対応する部分が左右方向の中央側へ凸に屈曲する。覆い部の両側端部にそれぞれ連続した１本ずつの接合線が形成された従来の横ヒダ型衛生マスクにおいては、装着時に覆い部の側端縁が１箇所において集中的に屈曲させられる傾向があり、覆い部のその１箇所近傍の部分が肌から浮き上がって、密着性が悪くなりがちであったのに対し、側端縁が２箇所において屈曲することにより、覆い部の両側端部が顔の肌に密着し易くなり、その分、覆い部と顔の肌との間に隙間が生じることが良好に回避され、横ヒダ型マスクの装着効果が高くなる。
【図面の簡単な説明】
【０００７】
【図１】本発明の一実施形態である衛生マスクを示す正面図である。
【図２】上記衛生マスクの覆い部の側面断面図である。
【図３】上記衛生マスクの装着状態を示す側面図である。
【図４】上記衛生マスクの装着状態における覆い部の側端縁の屈曲を説明する図である。
【図５】本発明の別の実施形態である衛生マスクを概略的に示す正面図である。
【図６】本発明のさらに別の実施形態の衛生マスクを概略的に示す正面図である。
【図７】本発明のさらに別の実施形態の衛生マスクを概略的に示す正面図である。
【図８】本発明のさらに別の実施形態の衛生マスクを概略的に示す正面図である。
【図９】本発明のさらに別の実施形態の衛生マスクを概略的に示す正面図である。
【図１０】本発明のさらに別の実施形態の衛生マスクを概略的に示す正面図である。
【図１１】本発明のさらに別の実施形態の衛生マスクを概略的に示す正面図である。
【図１２】本発明のさらに別の実施形態の衛生マスクを概略的に示す正面図である。
【図１３】図１２に示す衛生マスクを概略的に示す側面図である。
【図１４】本発明のさらに別の実施形態の衛生マスクを概略的に示す正面図である。
【図１５】図１４に示す衛生マスクを概略的に示す側面図である。
【図１６】本発明のさらに別の実施形態の衛生マスクを概略的に示す正面図である。
【図１７】図１６に示す衛生マスクを概略的に示す側面図である。
【図１８】本発明のさらに別の実施形態の衛生マスクを中央において切断した状態を示す斜視図である。
【図１９】本発明のさらに別の実施形態の衛生マスクが二つ折りにされた状態を示す図である。
【図２０】図１９に示す衛生マスクが覆い部を膨らますことなく、左右に拡げられた状態を示す正面図である。
【発明を実施するための形態】
【０００８】
以下、本発明のいくつかの実施形態を、図を参照しつつ詳しく説明する。なお、本発明は、下記実施形態の他、当業者の知識に基づいて種々の変更を施した態様で実施することができる。
【０００９】
図１に、本発明の一実施形態としての横ヒダ型衛生マスク（以下、マスクと略称する）を示す。本マスクは、装着者の口，鼻およびそれらの周辺を覆う覆い部１０と、その覆い部１０の両側端部からそれぞれ延び出して両耳に掛けられる２つの耳掛部１２とを含む。覆い部１０は、通気性を有するシートが複数枚、本実施形態のマスクでは、図２に示すように３枚のシート１４，１６，１８が重ね合わされた通気性を有する素材２０から成る。シート１４，１６，１８は、本実施形態のマスクでは、熱可塑性合成繊維から成る不織布である。これらシート１４，１６，１８のうち、外側および内側の各シート１４，１８は、真中のシート１６より表面が滑らかで薄いものとされている。
【００１０】
図１に示すように、覆い部１０はヒダ形成部２４を備えている。本実施形態のヒダ形成部２４は車ヒダ２６を含む。この車ヒダ２６は、横方向に延びる３つ以上の横ヒダ、図示の衛生マスクでは４つの横ヒダ２８を含む。図２に示すように、４つの横ヒダ２８はそれぞれ、側壁３０を３つずつ含み、覆い部１０の表側の側壁３０と真中の側壁３０とが山折り部３２を形成し、真中の側壁３０と裏側の側壁３０とが谷折り部３４を形成する。山折り部３２は、その頂部が谷折り部３４の底部より下に位置し、下向きであり、４つの横ヒダ２８は、覆い部１０の表側から見て下向きに凸の状態、すなわち各横ヒダ２８の下向きの山折り部３２が見え、谷折り部３４が見えない状態で互いに隣接する。
【００１１】
４つの横ヒダ２８は、覆い部１０が装着前の平板状の状態における上下方向の寸法が同じであって、各山折り部３２は等間隔に形成され、谷折り部３４も、山折り部３２の形成間隔と同じ間隔で等間隔に形成されている。また、図示の例では、覆い部１０の平板状の状態において４つの横ヒダ２８が互いに重ならず、間に隙間もないように隣接している。ただし、隣接する横ヒダ２８の一部が僅かに重なったり、隙間が生じたりされるようにしてもよい。
【００１２】
覆い部１０は前述のように３枚のシート１４，１６，１８から成っているが、一番内側、すなわち顔の肌に接するシート１４の上下方向の寸法が他のシート１６，１８より大きくされ、それらシート１６，１８より上下に突出した上端部および下端部がそれぞれ外側へ折り返されて、シート１６，１８の上端部および下端部を覆う折返し部４０，４２とされている。図１に示すように、下側の折返し部４２は、左右方向に延びる接合線４４により、シート１４の本体部（外側へ折り返されない部分）およびシート１６，１８に加圧，加熱されて溶着され、接合されている。接合線４４は、点状の溶着部である溶着点が複数、等間隔にかつ一直線状に並んだ点線から成る。
【００１３】
上側の折返し部４０は互いに平行な２本の接合線５０によって溶着されている。これら接合線５０は接合線４４と同様に、複数の溶着点が等間隔にかつ一直線状に並んで成り、折返し部４０とシート１８との間に覆い部１０の左右方向に延びる筒状部５１（図２参照）が形成され、その中にバー５２が配設されている。バー５２は、幅が狭く、薄い長手形状の板状を成し、本実施形態のマスクでは、添加物が添加されたポリエチレンにより形成され、塑性変形可能な公知の材料から成る塑性変形部材であり、筒状部５１に挿入されて覆い部１０の横方向に延びる状態とされている。
【００１４】
図１に示すように、覆い部１０の両側端部の上角部と下角部とに、それぞれ耳掛部１２の両端部が接合されている。各耳掛部１２は熱可塑性合成樹脂材料により伸縮性の良い紐状に形成され、溶着により覆い部１０に接合されている。
【００１５】
前記車ヒダ２６の４つの横ヒダ２８は、覆い部１０の両側端部において各々の３つの側壁３０同士が加圧，加熱により溶着されている。その結果、覆い部１０の両側端部の各々に上下方向に延びる接合線６０が形成され、その接合線６０により、４つの横ヒダ２８は延びることを阻止されている。接合線６０は、覆い部１０の上部，中間部，下部の３つの部分にそれぞれ対応する上接合線部６２，中間接合線部６４および下接合線部６６の３つの部分に分けられている。
【００１６】
上接合線部６２は、上側の折返し部４０と最上の横ヒダ２８とにわたって延び、折返し部４０とシート１４の本体部およびシート１６，１８とを接合するとともに、最上の横ヒダ２８の側壁３０同士を接合する。上接合線部６２は、傾斜部７０と非傾斜部７２とを含む。傾斜部７０は、上接合線部６２の上端から下方に向かうにつれて覆い部１０の側端部側へ向かう向きに直線状に傾斜して設けられている。非傾斜部７２は、傾斜部７０の下端から下方へ、最上の横ヒダ２８の下端近傍まで延び出させられ、最上の横ヒダ２８の下端部は接合せず、残す状態で形成されている。
【００１７】
下接合線部６６は、下側の折返し部４２と最下の横ヒダ２８とにわたって延び、折返し部４２とシート１４の本体部およびシート１６，１８とを接合するとともに、最下の横ヒダ２８の側壁３０同士を接合する。下接合線部６６は、傾斜部７４および非傾斜部７６を含む。傾斜部７４は、下接合線部６６の下端から上方に向かうにつれて覆い部１０の側端部側へ向かう向きに直線状に傾斜して設けられている。非傾斜部７６は、傾斜部７４の上端から上方へ、最下の横ヒダ２８の上端近傍まで延び出させられ、最下の横ヒダ２８の上端部は接合せず、残す状態で形成されている。
【００１８】
中間接合線部６４は、覆い部１０の上下方向に平行に延びる一直線状を成す。中間接合線部６４は、最上の横ヒダ２８の下端部であって、上接合線部６２の被傾斜部７２の下端から、最下の横ヒダ２８の上端部であって、下接合線部６６の非傾斜部７６の上端に至る長さを有し、４つの横ヒダ２８のうち、中間に位置する２つの横ヒダ２８の側壁３０同士を接合するとともに、最上の横ヒダ２８の側壁３０の下端部同士および最下の横ヒダ２８の側壁３０の上端部同士を接合する。中間接合線部６４は、上接合線部６２，下接合線部６６の各非傾斜部７２，７６に対して、覆い部１０の左右方向の中央側へずらされ、中間接合線部６４の上端および下端が、上接合線部６２の下端および下接合線部６６の上端に対して覆い部１０の中央側へずらされている。それにより、接合線６０の覆い部１０の上部，中間部および下部の３つの部分の境界にそれぞれ対応する２箇所に切れ目８０，８２が設けられている。中間接合線部６４と上接合線部６２および下接合線部６６とは、覆い部１０の上下方向の位置を異にし、上下方向において重なり合う部分はなく、切れ目８０，８２は覆い部１０の左右両側に開放されている。
【００１９】
図３に示すように、本実施形態のマスクを人が装着するとき、耳掛部１２が耳に掛けられ、覆い部１０の左右方向の中央部は上下に延ばされて鼻および口を覆うようにされる。そして、バー５２を鼻の表面に沿って屈曲させれば、覆い部１０の上端部が下方にずれることが防止される。覆い部１０の両側端部は耳掛部１２により引っ張られ、装着者の頬を覆う。覆い部１０の両側端部の切れ目８０，８２にそれぞれ対応する２箇所は接合されておらず、それら以外の部分に比較して自由度が高く、屈曲し易い。そのため、図４に矢印で示すように、最上の横ヒダ２８の中間接合線部６４より外側（覆い部１０の左右方向において中央側とは反対側）の部分が中間接合線部６４の上端を中心として回動し、中間の２つの横ヒダ２８のうち上側の横ヒダ２８（以後、場合によって中間上横ヒダ２８と称する）の中間接合線部６６より外側の部分の上に乗り上げる。また、最下の横ヒダ２８の中間接合線部６６より外側の部分が、中間接合線部６４の下端を中心として回動し、中間の２つの横ヒダ２８のうち下側の横ヒダ２８（以後、場合によって中間下横ヒダ２８と称する）の中間接合線部６４より外側の部分の下に潜り込む。結局、覆い部１０の両側端縁は、２箇所の切れ目８０，８２に対応する２箇所において左右方向の中央側へ凸に屈曲し、３つの部分に屈曲することとなる。その結果、覆い部１０の両側端部が顔の肌に沿い易くなり、肌への密着性が向上する。
【００２０】
図５に概略的に示すマスクのように、接合線１００の中間接合線部１０２は、４つの横ヒダ２８のうちの中間の２つの横ヒダ２８の各側壁３０同士のみを接合するように設けられてもよい。なお、図１〜図４に示す実施形態のマスクと同じ作用を為す構成要素については同じ符号を付して対応関係を示し、説明を省略する。図６以下に示す実施形態についても同様である。
【００２１】
図５に示すマスクにおいては、上接合線部１０４は中間上横ヒダ２８の側壁３０の上端部も接合するように設けられ、下接合線部１０６は中間下横ヒダ２８の側壁３０の下端部も接合するように設けられる。マスクの装着状態では、覆い部１０の側端縁は、接合線１００の２箇所の切れ目１０８，１１０に対応する部分において３つの部分に屈曲し、図５に矢印で示すように、中間上横ヒダ２８の上接合線部１０４より中央側の部分が、上接合線部１０４の下端を中心として回動し、最上の横ヒダ２８から離れる。また、最下の横ヒダ２８の下接合線部１０６より中央側の部分が下接合線部１０６の上端を中心として回動し、中間下横ヒダ２８から離れる。
【００２２】
図６に概略的に示すマスクのように、接合線１２０の中間接合線部１２２は、４つの横ヒダ２８のうちの中間の２つの横ヒダ２８の側壁３０同士のみを接合し、上接合線部１２４，下接合線部１２６はそれぞれ、中間の横ヒダ２８の側壁３０同士は接合しないようにしてもよい。この場合、切れ目１２８は、最上の横ヒダ２８と中間上横ヒダ２８とにわたって設けられ、切れ目１３０は最下の横ヒダ２８と中間下横ヒダ２８とにわたって設けられる。それにより、上接合線部１２４の下端と中間接合線部１２２の上端および下接合線部１２６の上端と中間接合線部１２２の下端はそれぞれ、上下方向および左右方向の両方にずれた状態となる。そのため、装着時に、最上の横ヒダ２８の側端部は、上接合線部１２４の下端と中間接合線部１２２の上端との間のいずれかの部分を中心として回動し、中間上横ヒダ２８の側端部の上に重なる。また、中間下横ヒダ２８の中間接合線部１２２より外側の部分は、下接合線部１２６の上端と中間接合線部１２２の下端との間のいずれかの部分を中心として回動し、最下の横ヒダ２８の側端部の上に重なることとなる。
【００２３】
中間接合線部の上端および下端は、上接合線部の下端および下接合線部の上端に対して、覆い部の左右方向の中央側とは反対側（外側ないし側端縁側）へずらしてもよい。その一例であるマスクを図７に概略的に示す。
本実施形態のマスクにおいて接合線１４０は、上接合線部１４２，中間接合線部１４４，下接合線部１４６に分けられている。上接合線部１４２は最上の横ヒダ２８の側壁３０同士を、その下端部を残して接合し、下接合線部１４６は最下の横ヒダ２８の側壁３０同士を、その上端部を残して接合する。中間接合線部１４４は、中間の２つの横ヒダ２８の側壁３０同士と、最上の横ヒダ２８の側壁３０同士の下端部と、最下の横ヒダ２８の側壁３０同士の上端部とを接合する。中間接合線部１４４の上端および下端は、上接合線部１４２の下端および下接合線部１４６の上端に対して、覆い部１０の左右方向の中央側とは反対側へずらされ、切れ目１４８，１５０が設けられている。
【００２４】
このマスクの装着状態では、最上の横ヒダ２８の中間接合線部１４４より覆い部１０の中央側の部分が、中間接合線部１４４の上端を中心として回動し、中間上横ヒダ２８の上から離れる傾向となる。また、最下の横ヒダ２８の中間接合線部１４４より中央側の部分が、中間接合線部１４４の下端を中心として回動し、中間下横ヒダ２８から離れる傾向となる。それにより、覆い部１０の両側端縁が、切れ目１４８，１５０に対応する２箇所において左右方向の中央側へ凸に屈曲することとなる。
【００２５】
図８に示すマスクの接合線１６０のように、中間接合線部１６２は中間の２つの横ヒダ２８の側壁３０同士のみを接合し、上接合線部１６４は最上の横ヒダ２８の側壁３０同士および中間上横ヒダ２８の側壁３０同士の上端部を接合し、下接合線部１６６は、最下の横ヒダ２８の側壁３０同士および中間下横ヒダ２８の側壁３０同士の下端部を接合するようにしてもよい。この場合、切れ目１６８，１７０は中間上横ヒダ２８および中間下横ヒダ２８に設けられ、最上の横ヒダ２８の上接合線部１６４より外側の部分が、上接合線部１６４の下端を中心として回動して、中間上横ヒダ２８の側端部の上に重なる。また、中間下横ヒダ２８の側端部が、下接合線部１６６の上端を中心として回動し、最下の横ヒダ２８の側端部の上に重なる。
【００２６】
図９に示すマスクの接合線１８０のように、上接合線部１８４の下端および下接合線部１８６の上端と、中間接合線部１８２の上下両端とを、上下方向および左右方向の両方にずらしてもよい。このマスクの装着状態では、覆い部１０の側端部は、上接合線部１８４の下端と中間接合線部１８２の上端との間、および下接合線部１８６の上端と中間接合線部１８２の下端との間のうちのいずれかの部分において屈曲する。
【００２７】
接合線２００の上接合線部２０２，中間接合線部２０４および下接合線部２０６は、図１０や図１１に例示するように、傾斜部を含むものとしてもよい。
上接合線部，中間接合線部および下接合線部を互いに平行に傾斜させる場合、上接合線部が、中間上横ヒダの側壁同士の上端部も接合するようにしてもよく、中間接合線部が、最上の横ヒダの側壁同士の下端部と最下の横ヒダの側壁同士の上端部との少なくとも一方も接合するようにしてもよく、下接合線部が、中間下横ヒダの側壁同士の下端部も接合するようにしてもよい。
【００２８】
覆い部をヒダ無し部を備えたものとすることにより、接合線に２箇所の切れ目が設けられるようにしてもよい。その一例であるマスクを図１２および図１３に示す。
本実施形態のマスクの覆い部２５０は、３つのヒダ形成部２５２，２５４，２５６と、それらヒダ形成部２５２，２５４，２５６の間にそれぞれ形成された２つのヒダ無し部２５８，２６０とを備えている。最上のヒダ形成部２５２および最下のヒダ形成部２５６にはそれぞれ横ヒダ２６２が１つ形成され、中間のヒダ形成部２５４には横ヒダ２６２が２つ形成されている。
【００２９】
覆い部２５０の両側端部にそれぞれ設けられた接合線２７０は、３つのヒダ形成部２５２，２５４，２５６の各々に対応して形成された上接合線部２７２，中間接合線部２７４および下接合線部２７６を含む。これら接合線部２７２，２７４，２７６は上下方向に延びる一直線上に位置し、上接合線部２７２は、横ヒダ２６２の３つの側壁同士の全部と上側のヒダ無し部２５８の上端部とにわたって形成され、中間接合線部２７４は、２つの横ヒダ２６２の３つの側壁同士の全部と上側のヒダ無し部２５８の下端部と下側のヒダ無し部２６０の上端部とにわたって形成され、下接合線部２７６は横ヒダ２６２の３つの側壁同士の全部と下側のヒダ無し部２６０の下端部とにわたって形成されている。上接合線部２７２の下端と中間接合線部２７４の上端、および中間接合線部２７４の下端と下接合線部２７６の上端がそれぞれ、ヒダ無し部２５８，２６０において上下方向に離れさせられ、それにより２箇所の切れ目２７８，２８０が形成されている。
【００３０】
本実施形態のマスクの装着状態では、覆い部２５０の両側端部はそれぞれヒダ無し部２５８，２６０において屈曲し、覆い部２５０の両側端縁の切れ目２７８，２８０に対応する２箇所がそれぞれ、左右方向の中央側へ凸に屈曲する。
上接合線部，中間接合線部および下接合線部はそれぞれ、横ヒダの側壁同士のみを接合し、ヒダ無し部には至らないように設けてもよい。
【００３１】
なお、ヒダ無し部を有するマスクにおいては、接合線に切れ目を設けることは不可欠ではなく、接合線は、切れ目のない連続した１本の線とされてもよい。ヒダ無し部はヒダ形成部に比較して屈曲し易く、マスクの装着状態では覆い部の両側端部がヒダ無し部において屈曲し、肌に密着し易い。接合線が切れ目のない線とされる場合、ヒダ形成部を４つ以上設け、ヒダ無し部を３つ以上設けてもよい。
【００３２】
覆い部の３つ以上の横ヒダはすべて上方に凸の横ヒダとされてもよい。その一例であるマスクを図１４および図１５に示す。
本実施形態のマスクにおいて覆い部３００のヒダ形成部３０２は、４つの横ヒダ３０４から成る車ヒダ３０６を含む。図１５に示すように、４つの横ヒダ３０４の各山折り部３０８は、その頂部が谷折り部３１０の底部より上に位置し、上向きであり、４つの横ヒダ３０４は覆い部３００の表面側から見て上向きに凸の状態、すなわち各横ヒダ３０４の上向きの山折り部３０８が見え、谷折り部３１０が見えない状態で互いに隙間なく隣接するように形成されている。接合線３１６は、前記実施形態の接合線６０と同様に設けられ、上接合線部３１８，中間接合線部３２０，下接合線部３２２に分けられ、２つの切れ目３２４，３２６が設けられている。
上，中間，下の各接合線部は、図示および説明は省略するが、横ヒダが下向きに凸の状態で設けられる場合と同様に種々の態様で設けることができる。
【００３３】
覆い部の３つ以上の横ヒダは、箱ヒダを含むものとしてもよい。その一例であるマスクを図１６および図１７に基づいて説明する。
本実施形態のマスクにおいて覆い部３４０のヒダ形成部３４２には、１つの箱ヒダ３４４と２つの車ヒダ３４６，３４８とが形成されている。箱ヒダ３４４は、覆い部３４０の表側から見て、その覆い部３４０の上下方向の中間の位置に形成され、車ヒダ３４６は箱ヒダ３４４の上方に形成され、車ヒダ３４８は箱ヒダ３４４の下方に形成されている。以後、車ヒダ３４６を上方車ヒダ３４６と称し、車ヒダ３４８を下方車ヒダ３４８と称する。
【００３４】
図１７に示すように、箱ヒダ３４４は、覆い部３４０の表側から見て上向きに凸の１つの横ヒダ３５０と下向きに凸の１つの横ヒダ３５２とを含む。上方車ヒダ３４６は、覆い部３４０の表側から見て上向きに凸の１つの横ヒダ３５４を含み、下方車ヒダ３４８は下向きに凸の１つの横ヒダ３５６を含む。本実施形態のマスクは、覆い部の上下方向の中間部を境に、それぞれ、上向きに凸の２つ以上の横ヒダから成る車ヒダと、下向きに凸の２つ以上の横ヒダから成る車ヒダとを備えたものと考えることもできる。
【００３５】
覆い部３４０の両側端部はそれぞれ接合線３６０により接合されている。本実施形態において接合線３６０は、上接合線部３６２，中間接合線部３６４，下接合線部３６６に分けられている。上接合線部３６２は上方車ヒダ３４６の側壁同士を接合し、中間接合線部３６４は、箱ヒダ３４４の２つの横ヒダ３５０，３５２の側壁同士を接合し、下接合線部３６６は、下方車ヒダ３４８の側壁同士を接合しており、中間接合線部３６４の上下両端は、上接合線部３６２の下端および下接合線部３６６の上端に対し、上下方向と左右方向との両方にずらされている。
【００３６】
マスクの装着状態では、覆い部３４０の両側端部が、接合線３６０の２つの切れ目３６８，３７０に対応する２箇所において覆い部３４０の中央側へ凸に屈曲し、それによって、それら両側端部の肌への密着性が良くなる。
なお、上，中間，下の各接合線部は、ヒダ形成部が箱ヒダを含まない場合と同様に、種々の態様で設けることができる。
【００３７】
覆い部は、本体部と折返し部とを含むものとしてもよい。この種のマスクは、例えば、特開２０１０−５１３８８号公報に記載されており、その一例であるマスクを図１８に基づいて簡単に説明する。
本実施形態のマスクの覆い部４００は本体部４０２と折返し部４０４とを含み、本体部４０２はヒダ形成部４０６を含む。ヒダ形成部４０６には、４つの横ヒダ４０８から成る車ヒダ４１０が形成され、各横ヒダ４０８の側壁同士は本体部４０２の両側端部に設けられた接合線４１２において互いに接合されている。折返し部４０４は、覆い部４００を形成する素材の下部が内側へ折り返されるとともに、折り返された部分の両側端部が本体部４０２の下端部の両側端部に溶着されることにより形成され、上方に向かって開いた浅い袋状部４１４が形成されている。装着時には、この袋状部４１４が装着者の顎に掛かり、上方へずれることを防止する。
【００３８】
覆い部には、その上部と下部との少なくとも一方に接合部を設けてもよい。接合部は特開２０１２−１０５８７２号公報に記載されており、接合部を有するマスクを図１９および図２０に基づいて簡単に説明する。
本実施形態のマスクにおいて覆い部４３０は、通常、図１９に示すように、左右方向の中央において、顔に接する側を内側にして二つ折りにされている。その二つ折り部の上端部と下端部とに面取りが施されるとともに、その面取部４３２の縁が互いに溶着により接合されて、接合部４３４，４３６が形成されている。それにより、図２０に示すように二つ折り部が拡げられたとき、覆い部４３０が外向きに凸の立体形状となり、その部分が鼻と顎とに掛かって、覆い部４３０の上端部が下方にずれることと下端部が上方にずれることとが良好に防止される。
【００３９】
覆い部には、その上部に接合部を設けるのみでもよく、下部に接合部を設けるのみでもよい。また、覆い部の上部に接合部を設けるとともに、下部に図１８に示す折返し部４０４と同様の折返し部を設けてもよく、覆い部の上部にバーを設けるとともに、下部に接合部を設けてもよい。上部の接合部，下部の接合部，バーおよび図１８に示す折返し部４０４と同様の折返し部は、単独で、あるいは適宜に組み合わせて設けることができる。
【００４０】
マスクは、未だ公開されていないが、本出願人にかかる特願２０１３−１２８９３７号の出願によるマスクのように、２つの耳掛部に加えて、１つの頭掛け部を含むものとしてもよい。頭掛け部は、覆い部の両上端隅部の一方から延び出し、両上端隅部の他方に帰るように設けられる。このマスクは、頭掛け部を後頭部に掛けるとともに、一対の耳掛け部を両耳に掛けて使用される。
【符号の説明】
【００４１】
１０：覆い部    １２：耳掛部    ２４：ヒダ形成部    ２６：車ヒダ    ２８：横ヒダ    ６０：接合線    ６２：上接合線部    ６４：中間接合線部    ６６：下接合線部    ８０，８２：切れ目    １００：接合線    １０８，１１０：切れ目    １２０：接合線    １２８，１３０：切れ目    １４０：接合線    １４８，１５０：切れ目    １６０：接合線    １６８，１７０：切れ目    １８０：接合線    １８８，１９０：切れ目    ２００：接合線    ２５０：覆い部    ２５２，２５４，２５６：ヒダ形成部    ２５８，２６０：ヒダ無し部    ２７０：接合線    ２７８，２８０：切れ目    ３００：覆い部    ３０２：ヒダ形成部    ３１６：接合線    ３２４，３２６：切れ目    ３４０：覆い部    ３４２：ヒダ形成部    ３４４：箱ヒダ    ３６０：接合線    ３６８，３７０：切れ目    ４００：覆い部    ４０４：折返し部    ４０６：ヒダ形成部    ４１２：接合線    ４１４：袋状部    ４３０：覆い部    ４３４，４３６：接合部
【図１】
2015100570.tif 000003
【図２】
2015100570.tif 000004
【図３】
2015100570.tif 000005
【図４】
2015100570.tif 000006
【図５】
2015100570.tif 000007
【図６】
2015100570.tif 000008
【図７】
2015100570.tif 000009
【図８】
2015100570.tif 000010
【図９】
2015100570.tif 000011
【図１０】
2015100570.tif 000012
【図１１】
2015100570.tif 000013
【図１２】
2015100570.tif 000014
【図１３】
2015100570.tif 000015
【図１４】
2015100570.tif 000016
【図１５】
2015100570.tif 000017
【図１６】
2015100570.tif 000018
【図１７】
2015100570.tif 000019
【図１８】
2015100570.tif 000020
【図１９】
2015100570.tif 000021
【図２０】
2015100570.tif 000022